(57)【要約】  本発明の実施例は、電子ショッピング方法及び装置を提供する。電子ショッピング方法は、第１のユーザにより選択された少なくとも２つの代替的な商品に関する情報を取得するステップと、第２のユーザが少なくとも２つの代替的な商品から選択を実行するように、ネットワークを介し第２のユーザにより使用されるユーザ装置に少なくとも２つの代替的な商品に関する情報を送信するステップであって、第２のユーザは第１のユーザと異なり、第１のユーザにより指定される、送信するステップと、少なくとも２つの代替的な商品に対する第２のユーザの選択情報を取得するステップと、選択情報に従って少なくとも２つの代替的な商品から購入対象の商品を決定するステップとを有する。本発明の実施例において提供される方法によると、第１のユーザにより選択された代替的な商品が選択のため第２のユーザに送信され、電子ショッピング処理においてソーシャル化されたショッピング解決策を提供する。
2016527616.tif 000002
【特許請求の範囲】
【請求項１】
電子ショッピング方法であって、当該方法は、
第１のユーザにより選択された少なくとも２つの代替的な商品に関する情報を取得するステップと、
第２のユーザが前記少なくとも２つの代替的な商品から選択を実行するように、ネットワークを介し前記第２のユーザにより使用されるユーザ装置に前記少なくとも２つの代替的な商品に関する情報を送信するステップであって、前記第２のユーザは前記第１のユーザと異なり、前記第２のユーザは前記第１のユーザにより指定される、送信するステップと、
前記少なくとも２つの代替的な商品に対する前記第２のユーザの選択情報を取得するステップと、
前記選択情報に従って前記少なくとも２つの代替的な商品から購入対象の商品を決定するステップと、
を有する方法。
【請求項２】
前記ネットワークを介し前記第２のユーザにより使用されるユーザ装置に前記少なくとも２つの代替的な商品に関する情報を送信するステップは、前記ネットワークを介し１人の第２のユーザのユーザ装置に前記少なくとも２つの代替的な商品に関する情報を送信するステップを有し、
前記選択情報に従って前記少なくとも２つの代替的な商品から購入対象の商品を決定するステップは、前記少なくとも２つの代替的な商品から前記選択情報に対応する商品を選択するステップを有する、請求項１記載の方法。
【請求項３】
当該方法は、前記ネットワークを介し前記第２のユーザにより使用されるユーザ装置に前記少なくとも２つの代替的な商品に関する情報を送信するステップが、前記ネットワークを介し少なくとも２人の第２のユーザのユーザ装置に前記少なくとも２つの代替的な商品に関する情報を送信するステップを有することを有し、
前記選択情報に従って前記少なくとも２つの代替的な商品から購入対象の商品を決定するステップは、前記選択情報に従って、前記少なくとも２つの代替的な商品から最も頻繁に選択される代替的な商品を取得し、前記最も頻繁に選択される代替的な商品を前記購入対象の商品として決定するステップを有する、請求項１記載の方法。
【請求項４】
当該方法は更に、
前記購入対象の商品の配送アドレスとして前記第１のユーザが第３のユーザのアドレスを設定する入力を取得するステップを有し、前記第３のユーザは前記第１のユーザと異なる、請求項１乃至３何れか一項記載の方法。
【請求項５】
前記第２のユーザは前記第３のユーザと同じであるか、又は、前記第２のユーザは前記第３のユーザと異なり、
前記第２のユーザが前記第３のユーザと異なる場合、前記選択情報に従って前記少なくとも２つの代替的な商品から購入対象の商品を決定するステップの後に、当該方法は更に、前記第３のユーザにより使用されるユーザ装置に前記少なくとも２つの代替的な商品に対する前記第２のユーザの取得された選択情報を送信するステップを有する、請求項４記載の方法。
【請求項６】
前記第１のユーザにより選択された少なくとも２つの代替的な商品を取得するステップの前に、当該方法は更に、
前記第１のユーザにより入力された前記第３のユーザに関する情報を取得するステップと、
前記第１のユーザが前記代替的な商品を選択することを支援するため、前記第３のユーザに関する情報に従って推奨された商品を提示するステップと、
を有する、請求項４又は５記載の方法。
【請求項７】
当該方法は更に、前記購入対象の商品の配送アドレスとして前記第１のユーザが前記第１のユーザのアドレスを設定する入力を取得するステップを有する、請求項１乃至３何れか一項記載の方法。
【請求項８】
前記第１のユーザにより選択された少なくとも２つの代替的な商品に関する情報を取得するステップは、前記第１のユーザにより使用されるユーザ装置が、前記第１のユーザにより選択された前記少なくとも２つの代替的な商品に関する情報を取得するステップを有する、請求項１乃至６何れか一項記載の方法。
【請求項９】
前記第１のユーザにより選択された少なくとも２つの代替的な商品に関する情報を取得するステップは、サーバが、前記第１のユーザにより選択された前記少なくとも２つの代替的な商品に関するものであって、前記第１のユーザにより使用されるユーザ装置により送信された前記情報を受信するステップを有する、請求項１乃至６何れか一項記載の方法。
【請求項１０】
電子ショッピング装置であって、当該装置は、代替商品情報取得モジュール、情報送信モジュール、商品選択情報取得モジュール及び購入対象商品決定モジュールを有し、
前記代替商品情報取得モジュールは、第１のユーザにより選択された少なくとも２つの代替的な商品に関する情報を取得するよう構成され、
前記情報送信モジュールは、第２のユーザが前記少なくとも２つの代替的な商品から選択を実行するように、ネットワークを介し前記第２のユーザにより使用されるユーザ装置に前記少なくとも２つの代替的な商品に関する情報を送信するよう構成され、前記第２のユーザは前記第１のユーザと異なり、前記第１のユーザにより指定され、
前記商品選択情報取得モジュールは、前記少なくとも２つの代替的な商品に対する前記第２のユーザの選択情報を取得するよう構成され、
前記購入対象商品決定モジュールは、前記選択情報に従って前記少なくとも２つの代替的な商品から購入対象の商品を決定するよう構成される装置。
【請求項１１】
前記情報送信モジュールは、前記第２のユーザが前記少なくとも２つの代替的な商品から選択を実行するように、前記ネットワークを介し１人の第２のユーザのユーザ装置に前記少なくとも２つの代替的な商品に関する情報を送信するよう構成され、
前記購入対象商品決定モジュールは、前記少なくとも２つの代替的な商品から前記選択情報に対応する商品を選択するよう構成される、請求項１０記載の装置。
【請求項１２】
前記情報送信モジュールは、少なくとも２人の第２のユーザが前記少なくとも２つの代替的な商品から選択を実行するように、前記ネットワークを介し前記少なくとも２人の第２のユーザのユーザ装置に前記少なくとも２つの代替的な商品に関する情報を送信するよう構成され、
前記購入対象商品決定モジュールは、前記選択情報に従って、前記少なくとも２つの代替的な商品から最も頻繁に選択される代替的な商品を取得し、前記最も頻繁に選択される代替的な商品を前記購入対象の商品として決定するよう構成される、請求項１０記載の装置。
【請求項１３】
当該装置は更に、商品アドレス取得モジュールを有し、
前記商品アドレス取得モジュールは、前記購入対象の商品の配送アドレスとして前記第１のユーザが第３のユーザのアドレスを設定する入力を取得するよう構成され、前記第３のユーザは前記第１のユーザと異なる、請求項１乃至３何れか一項記載の装置。
【請求項１４】
前記第２のユーザは前記第３のユーザと同じであるか、又は、前記第２のユーザは前記第３のユーザと異なり、
前記第２のユーザが前記第３のユーザと異なる場合、前記情報送信モジュールは更に、前記第３のユーザに前記少なくとも２つの代替的な商品に対する前記第２のユーザの取得された選択情報を送信するよう構成される、請求項４記載の装置。
【請求項１５】
当該装置は更に、商品推奨モジュールを有し、
前記代替商品情報取得モジュールは更に、前記第１のユーザにより選択された少なくとも２つの代替的な商品を取得する前に、前記第１のユーザにより入力された前記第３のユーザに関する情報を取得するよう構成され、
前記商品推奨モジュールは、前記第１のユーザが前記代替的な商品を選択することを支援するため、前記第３のユーザに関する情報に従って推奨された商品を提示するよう構成される、請求項４又は５記載の装置。
【請求項１６】
当該装置は更に、商品アドレス取得モジュールを有し、
前記配送アドレス取得モジュールは、前記購入対象の商品の配送アドレスとして前記第１のユーザが前記第１のユーザのアドレスを設定する入力を取得するよう構成される、請求項１乃至３何れか一項記載の装置。
【請求項１７】
当該装置は、前記第１のユーザにより使用される装置である、請求項１乃至６何れか一項記載の装置。
【請求項１８】
当該装置はサーバであり、
前記サーバに含まれる商品情報取得モジュールは、前記第１のユーザにより使用される装置により送信された情報を受信するよう構成され、前記第１のユーザにより使用される装置により送信された情報は、前記第１のユーザにより選択された前記少なくとも２つの代替的な商品に関する情報である、請求項１乃至６何れか一項記載の装置。
【発明の詳細な説明】
【技術分野】
【０００１】
本発明は、コンピュータ分野に関し、特に電子ショッピング方法及び装置に関する。
【背景技術】
【０００２】
電子商取引市場が持続的に発展するに従って、競争がますます激しくなっている。買い手は、多くの選択肢に直面し、決断することが困難である。分析レポートは、オンラインショッピングユーザの平均的なブラウジング時間は減少しているが、各電子商取引企業の転換率は有意には増加していないことを指摘している。大手の電子商取引企業でさえ比較的低い転換率を依然として有し、ここで、製品ページから支払確認ページまで転換する率はたった１％である。
【０００３】
現在、ユーザは比較的単一の方式で電子ショッピング処理中に決断し、すなわち、購入者は彼自身又は彼女自身で全て決断する。購入者と商品ユーザとが同一人物でないシナリオでは、ユーザの嗜好及び選択情報は購入者に伝えることができず、購入情報に対するユーザと購入者との間のやりとりはなく、従って、ユーザは弱い基礎で商品購入決断をし、合理性は低く、これは購買の実現に影響を与える。購入者が商品を購入した後でさえ、商品を以降に使用する際にユーザが苦情を言う比較的高いリスクがある。さらに、購入者とユーザとが実際に同一人物であっても、購入者は依然として購入判断をすることが難しいという問題に直面する。
【発明の概要】
【０００４】
本発明の実施例は、電子ショッピング処理において購入決断がなされる際に利用されるソーシャル化されたショッピング解決策を提供するため、電子ショッピング方法及び装置を提供する。
【０００５】
第１の態様によると、本発明の実施例において提供される方法は、電子ショッピング方法を有し、ここで、当該方法は、第１のユーザにより選択された少なくとも２つの代替的な商品に関する情報を取得するステップと、第２のユーザが前記少なくとも２つの代替的な商品から選択を実行するように、ネットワークを介し前記第２のユーザにより使用されるユーザ装置に前記少なくとも２つの代替的な商品に関する情報を送信するステップであって、前記第２のユーザは前記第１のユーザと異なり、前記第２のユーザは前記第１のユーザにより指定される、送信するステップと、前記少なくとも２つの代替的な商品に対する前記第２のユーザの選択情報を取得するステップと、前記選択情報に従って前記少なくとも２つの代替的な商品から購入対象の商品を決定するステップとを有する。
【０００６】
第１の態様の第１の実現形態では、前記ネットワークを介し前記第２のユーザにより使用されるユーザ装置に前記少なくとも２つの代替的な商品に関する情報を送信するステップは、前記ネットワークを介し１人の第２のユーザのユーザ装置に前記少なくとも２つの代替的な商品に関する情報を送信するステップを有し、
前記選択情報に従って前記少なくとも２つの代替的な商品から購入対象の商品を決定するステップは、前記少なくとも２つの代替的な商品から前記選択情報に対応する商品を選択するステップを有する。
【０００７】
第１の態様又は第１の態様の第１の実現方式を参照して、第１の態様の第２の実現方式では、当該方法は、前記ネットワークを介し前記第２のユーザにより使用されるユーザ装置に前記少なくとも２つの代替的な商品に関する情報を送信するステップが、前記ネットワークを介し少なくとも２人の第２のユーザのユーザ装置に前記少なくとも２つの代替的な商品に関する情報を送信するステップを有することを有し、前記選択情報に従って前記少なくとも２つの代替的な商品から購入対象の商品を決定するステップは、前記選択情報に従って、前記少なくとも２つの代替的な商品から最も頻繁に選択される代替的な商品を取得し、前記最も頻繁に選択される代替的な商品を前記購入対象の商品として決定するステップを有する。
【０００８】
第１の態様又は第１の態様の上記の実現方式の何れか１つを参照して、第１の態様の第３の実現方式では、当該方法は更に、前記購入対象の商品の配送アドレスとして前記第１のユーザが第３のユーザのアドレスを設定する入力を取得するステップを有し、前記第３のユーザは前記第１のユーザと異なる。
【０００９】
第１の態様又は第１の態様の上記の実現方式の何れか１つを参照して、第１の態様の第４の実現方式では、前記第２のユーザは前記第３のユーザと同じであるか、又は、前記第２のユーザは前記第３のユーザと異なり、前記第２のユーザが前記第３のユーザと異なる場合、前記選択情報に従って前記少なくとも２つの代替的な商品から購入対象の商品を決定するステップの後に、当該方法は更に、前記第３のユーザにより使用されるユーザ装置に前記少なくとも２つの代替的な商品に対する前記第２のユーザの取得された選択情報を送信するステップを有する。
【００１０】
第１の態様又は第１の態様の上記の実現方式の何れか１つを参照して、第１の態様の第５の実現方式では、前記第１のユーザにより選択された少なくとも２つの代替的な商品を取得するステップの前に、当該方法は更に、前記第１のユーザにより入力された前記第３のユーザに関する情報を取得するステップと、前記第１のユーザが前記代替的な商品を選択することを支援するため、前記第３のユーザに関する情報に従って推奨された商品を提示するステップとを有する。
【００１１】
第１の態様又は第１の態様の上記の実現方式の何れか１つを参照して、第１の態様の第６の実現方式では、当該方法は更に、前記購入対象の商品の配送アドレスとして前記第１のユーザが前記第１のユーザのアドレスを設定する入力を取得するステップを有する。
【００１２】
第１の態様又は第１の態様の上記の実現方式の何れか１つを参照して、第１の態様の第７の実現方式では、前記第１のユーザにより選択された少なくとも２つの代替的な商品に関する情報を取得するステップは、前記第１のユーザにより使用されるユーザ装置が、前記第１のユーザにより選択された前記少なくとも２つの代替的な商品に関する情報を取得するステップを有する。
【００１３】
第１の態様又は第１の態様の上記の実現方式の何れか１つを参照して、第１の態様の第８の実現方式では、前記第１のユーザにより選択された少なくとも２つの代替的な商品に関する情報を取得するステップは、サーバが、前記第１のユーザにより選択された前記少なくとも２つの代替的な商品に関するものであって、前記第１のユーザにより使用されるユーザ装置により送信された前記情報を受信するステップを有する。
【００１４】
第２の態様によると、本発明の実施例は電子ショッピング装置を提供し、ここで、当該装置は、代替商品情報取得モジュール、情報送信モジュール、商品選択情報取得モジュール及び購入対象商品決定モジュールを有し、前記代替商品情報取得モジュールは、第１のユーザにより選択された少なくとも２つの代替的な商品に関する情報を取得するよう構成され、前記情報送信モジュールは、第２のユーザが前記少なくとも２つの代替的な商品から選択を実行するように、ネットワークを介し前記第２のユーザにより使用されるユーザ装置に前記少なくとも２つの代替的な商品に関する情報を送信するよう構成され、前記第２のユーザは前記第１のユーザと異なり、前記第１のユーザにより指定され、前記商品選択情報取得モジュールは、前記少なくとも２つの代替的な商品に対する前記第２のユーザの選択情報を取得するよう構成され、前記購入対象商品決定モジュールは、前記選択情報に従って前記少なくとも２つの代替的な商品から購入対象の商品を決定するよう構成される。
【００１５】
第２の態様の第１の実現方式では、前記情報送信モジュールは、前記第２のユーザが前記少なくとも２つの代替的な商品から選択を実行するように、前記ネットワークを介し１人の第２のユーザのユーザ装置に前記少なくとも２つの代替的な商品に関する情報を送信するよう構成され、前記購入対象商品決定モジュールは、前記少なくとも２つの代替的な商品から前記選択情報に対応する商品を選択するよう構成される。
【００１６】
第２の態様又は第２の態様の第１の実現方式を参照して、第２の態様の第２の実現方式では、前記情報送信モジュールは、少なくとも２人の第２のユーザが前記少なくとも２つの代替的な商品から選択を実行するように、前記ネットワークを介し前記少なくとも２人の第２のユーザのユーザ装置に前記少なくとも２つの代替的な商品に関する情報を送信するよう構成され、前記購入対象商品決定モジュールは、前記選択情報に従って、前記少なくとも２つの代替的な商品から最も頻繁に選択される代替的な商品を取得し、前記最も頻繁に選択される代替的な商品を前記購入対象の商品として決定するよう構成される。
【００１７】
第２の態様又は第２の態様の上記の実現方式の何れか１つを参照して、第２の態様の第３の実現方式では、当該装置は更に、商品アドレス取得モジュールを有し、前記商品アドレス取得モジュールは、前記購入対象の商品の配送アドレスとして前記第１のユーザが第３のユーザのアドレスを設定する入力を取得するよう構成され、前記第３のユーザは前記第１のユーザと異なる。
【００１８】
第２の態様又は第２の態様の上記の実現方式の何れか１つを参照して、第２の態様の第４の実現方式では、前記第２のユーザは前記第３のユーザと同じであるか、又は、前記第２のユーザは前記第３のユーザと異なり、前記第２のユーザが前記第３のユーザと異なる場合、前記情報送信モジュールは更に、前記第３のユーザに前記少なくとも２つの代替的な商品に対する前記第２のユーザの取得された選択情報を送信するよう構成される。
【００１９】
第２の態様又は第２の態様の上記の実現方式の何れか１つを参照して、第２の態様の第５の実現方式では、当該装置は更に、商品推奨モジュールを有し、前記代替商品情報取得モジュールは更に、前記第１のユーザにより選択された少なくとも２つの代替的な商品を取得する前に、前記第１のユーザにより入力された前記第３のユーザに関する情報を取得するよう構成され、前記商品推奨モジュールは、前記第１のユーザが前記代替的な商品を選択することを支援するため、前記第３のユーザに関する情報に従って推奨された商品を提示するよう構成される。
【００２０】
第２の態様又は第２の態様の上記の実現方式の何れか１つを参照して、第２の態様の第６の実現方式では、当該装置は更に、商品アドレス取得モジュールを有し、前記配送アドレス取得モジュールは、前記購入対象の商品の配送アドレスとして前記第１のユーザが前記第１のユーザのアドレスを設定する入力を取得するよう構成される。
【００２１】
第２の態様又は第２の態様の上記の実現方式の何れか１つを参照して、第２の態様の第７の実現方式では、当該装置は、前記第１のユーザにより使用される装置である。
【００２２】
第２の態様又は第２の態様の上記の実現方式の何れか１つを参照して、第２の態様の第８の実現方式では、当該装置はサーバであり、前記サーバに含まれる商品情報取得モジュールは、前記第１のユーザにより使用される装置により送信された情報を受信するよう構成され、前記第１のユーザにより使用される装置により送信された情報は、前記第１のユーザにより選択された前記少なくとも２つの代替的な商品に関する情報である。本発明の実施例では、第１のユーザにより選択された少なくとも２つの代替的な商品に関する情報が取得され、少なくとも２つの代替的な商品に関する情報が、ネットワークを介し第２のユーザにより使用されるユーザ装置に送信され、これにより、第２のユーザは少なくとも２つの代替的な商品から選択を実行し、ここで、第２のユーザは第１のユーザと異なり、少なくとも２つの代替的な商品に対する第２のユーザの選択情報が取得され、購入対象の商品は、選択情報に従って少なくとも２つの代替的な商品から決定される。本発明の実施例では、第１のユーザにより選択される代替的な商品は、選択のため第２のユーザに送信され、ユーザがショッピング処理において情報を転送し、やりとりを実行することを支援するため、電子ショッピング処理におけるソーシャル化されたショッピング解決策を提供する。
【図面の簡単な説明】
【００２３】
本発明の実施例における技術的解決策をより明確に説明するため、以下は、実施例を説明するのに必要な添付図面を簡潔に紹介する。明らかに、以下の説明における添付図面は本発明の一部の実施例を示し、当業者は、創作的な努力なく、これらの添付図面から他の図面を依然として導出してもよい。
【図１】図１は、本発明による電子ショッピング方法の実施例のフローチャートである。
【図２】図２は、本発明による電子ショッピング装置の実施例の構成図である。
【図３】図３は、本発明による電子ショッピングコンピュータシステムの実施例の構成図である。
【発明を実施するための形態】
【００２４】
本発明の実施例の課題、技術的解決策及び効果をより明確にするため、以下は、本発明の実施例における添付図面を参照して本発明の実施例における技術的解決策を明確且つ完全に説明する。明らかに、説明される実施例は、本発明の実施例の全てでなく一部である。創作的な努力なく本発明の実施例に基づき当業者により取得される他の全ての実施例は、本発明の保護範囲内に属する。
【００２５】
本発明の実施例は電子ショッピング方法を提供する。図１に示されるように、図１は、本発明による電子ショッピング方法の実施例のフローチャートを提供する。当該方法は、Ｓ１０１．第１のユーザにより選択された少なくとも２つの代替的な商品に関する情報を取得し、Ｓ１０３．第２のユーザが少なくとも２つの代替的な商品から選択を実行するように、ネットワークを介し第２のユーザにより使用されるユーザ装置に少なくとも２つの代替的な商品に関する情報を送信し、ここで、第２のユーザは第１のユーザと異なり、Ｓ１０５．少なくとも２つの代替的な商品に対する第２のユーザの選択情報を取得し、Ｓ１０７．選択情報に従って少なくとも２つの代替的な商品から購入対象の商品を決定する、ことを有する。
【００２６】
本発明の本実施例において提供される方法によると、第１のユーザにより選択される代替的な商品が選択のため第２のユーザに送信され、ユーザがショッピング処理において情報を転送し、やりとりを実行することを支援するため、電子ショッピング処理におけるソーシャル化されたショッピング解決策を提供する。
【００２７】
本発明の実施例では、ネットワークを介し第２のユーザにより使用されるユーザ装置に少なくとも２つの代替的な商品に関する情報を送信することは、ネットワークを介し１人の第２のユーザのユーザ装置に少なくとも２つの代替的な商品に関する情報を送信することを有し、選択情報に従って少なくとも２つの代替的な商品から購入対象の商品を決定することは、少なくとも２つの代替的な商品から選択情報に対応する商品を選択することを有する。
【００２８】
本発明の本実施例において提供される方法によると、第１のユーザにより選択される代替的な商品は、第１のユーザ及び第２のユーザがショッピング処理において情報を転送し、やりとりを実行することを支援するため、選択のため１人の第２のユーザに送信される。
【００２９】
本発明の実施例では、ネットワークを介し第２のユーザにより使用されるユーザ装置に少なくとも２つの代替的な商品に関する情報を送信することは、ネットワークを介し少なくとも２人の第２のユーザのユーザ装置に少なくとも２つの代替的な商品に関する情報を送信することを有し、選択情報に従って少なくとも２つの代替的な商品から購入対象の商品を決定することは、選択情報に従って、少なくとも２つの代替的な商品から最も頻繁に選択される代替的な商品を取得し、最も頻繁に選択される代替的な商品を購入対象の商品として決定することを有する。
【００３０】
本発明の本実施例において提供される方法によると、第１のユーザにより選択される代替的な商品は、第１のユーザ及び複数の第２のユーザがショッピング処理において情報を転送し、やりとりを実行することを支援するため、選択のため複数の第２のユーザに送信される。
【００３１】
本発明の実施例では、当該方法は更に、購入対象の商品の配送アドレスとして第１のユーザが第３のユーザのアドレスを設定する入力を取得することを有し、ここで、第３のユーザは第１のユーザと異なる。第１のユーザが購入対象の商品の配送アドレスとして第３のユーザのアドレスを設定する入力を取得するステップは、Ｓ１０１，Ｓ１０３，Ｓ１０５及びＳ１０７の何れかのステップの前、後又は同時に配置されてもよい。
【００３２】
本発明の本実施例において提供される方法によると、第１のユーザが電子ショッピングを利用して第３のユーザにギフトとして商品を提供することを支援するため、第１のユーザにより選択された代替的な商品が選択のため第２のユーザに送信され、第２のユーザにより選択された代替的な商品が第１のユーザと異なる第３のユーザに送信され、特に、第１のユーザが第３のユーザの嗜好に関して確信していない場合、第２のユーザによる選択の支援によって、第１のユーザは第３のユーザの嗜好を充たす商品を選択できる。
【００３３】
本発明の実施例では、第２のユーザは第３のユーザと同じであるか、又は、第２のユーザは第３のユーザと異なり、第２のユーザが第３のユーザと異なる場合、選択情報に従って少なくとも２つの代替的な商品から購入対象の商品を決定した後に、当該方法は更に、第３のユーザに少なくとも２つの代替的な商品に対する第２のユーザの取得された選択情報を送信することを有する。
【００３４】
本発明の本実施例において提供される方法によると、第１のユーザが電子ショッピングを用いて第３のユーザ（第２のユーザ）にギフトとして商品を提供することを支援するため、第２のユーザは第３のユーザと同じであり、特に、第１のユーザが第３のユーザの嗜好に関して確信していない場合、第３のユーザによる選択の支援によって、第１のユーザは、第３のユーザの嗜好を充たす商品を選択できる。
【００３５】
本発明の本実施例において提供される方法によると、第１のユーザが電子ショッピングを用いて第３のユーザにギフトとして商品を提供することを支援するため、第２のユーザは第３のユーザと異なり、特に、第１のユーザが第３のユーザの嗜好に関して確信していない場合、第３のユーザと異なる第２のユーザによる選択の支援によって、第１のユーザは、第３のユーザの嗜好を充たす商品を選択できるだけでなく、提供されたギフトをサプライズなものにすることができる。
【００３６】
本発明の本実施例では、選択情報に従って少なくとも２つの代替的な商品から購入対象の商品を決定した後、当該方法は更に、少なくとも２つの代替的な商品に対する第２のユーザの取得された選択情報を第３のユーザに送信することを有する。大部分のシナリオにおいて、第１のユーザにより選択される第２のユーザは、第３のユーザの嗜好に比較的精通しているユーザであり、第２のユーザの選択情報を第３のユーザに送信することは、ソーシャル処理を生成し、電子商取引ショッピング処理に興味を加える。
【００３７】
本発明の実施例では、第１のユーザにより選択された少なくとも２つの代替的な商品を取得する前に、当該方法は更に、第１のユーザにより入力された第３のユーザに関する情報を取得し、第１のユーザが代替的な商品を選択することを支援するため、第３のユーザに関する情報に従って推奨された商品を提示することを有する。第３のユーザに関する情報は、第３のユーザのユーザ名のアイデンティティ、第３のユーザのアイデンティティなどを有する。推奨された商品は、第３のユーザのショッピング履歴情報、ブラウジング履歴情報などに基づき推奨及び生成されてもよい。
【００３８】
本発明の本実施例において提供される方法によると、推奨された商品は、第３のユーザに関する情報に従って提供され、これは、第１のユーザが第３のユーザに提供されるべきギフトとして代替的な商品を選択することを支援し、ギフト商品を推奨するインテリジェントな方式を提供する。
【００３９】
本発明の実施例では、当該方法は更に、購入対象の商品の配送アドレスとして第１のユーザが第１のユーザのアドレスを設定する入力を取得することを有する。当該ステップは、Ｓ１０１，Ｓ１０３，Ｓ１０５及びＳ１０７の何れかのステップの前、後又は同時に配置されてもよい。
【００４０】
本発明の本実施例では、第１のユーザにより選択される代替的な商品は選択のため第２のユーザに送信され、第２のユーザにより選択される代替的な商品は第１のユーザに送信され、これは、電子ショッピング中に第２のユーザとのソーシャルインタラクションを導入することによって、第１のユーザが第２のユーザの示唆を取得することを支援し、第１のユーザが商品を選択することを支援する。
【００４１】
本発明の実施例では、第１のユーザにより選択された少なくとも２つの代替的な商品に関する情報を取得することは、第１のユーザにより使用される装置が、第１のユーザにより選択された少なくとも２つの代替的な商品に関する情報を受信することを有する。
【００４２】
本発明の実施例では、第１のユーザにより選択された少なくとも２つの代替的な商品に関する情報を取得することは、サーバが、第１のユーザにより使用される装置により送信された情報を受信することを有し、ここで、第１のユーザにより使用される装置により送信された情報は、第１のユーザにより選択された少なくとも２つの代替的な商品に関する情報である。
【００４３】
本発明の実施例は電子ショッピング装置を提供する。図２に示されるように、図２は、本発明による装置の実施例の概略的な構成図を提供する。当該装置は、代替商品情報取得モジュール２０１、情報送信モジュール２０３、商品選択情報取得モジュール２０５及び購入対象商品決定モジュール２０７を有し、ここで、代替商品情報取得モジュールは、第１のユーザにより選択された少なくとも２つの代替的な商品に関する情報を取得するよう構成され、情報送信モジュールは、第２のユーザが少なくとも２つの代替的な商品から選択を実行するように、ネットワークを介し第２のユーザにより使用されるユーザ装置に少なくとも２つの代替的な商品に関する情報を送信するよう構成され、第２のユーザは第１のユーザと異なり、第１のユーザにより指定され、商品選択情報取得モジュールは、少なくとも２つの代替的な商品に対する第２のユーザの選択情報を取得するよう構成され、購入対象商品決定モジュールは、選択情報に従って少なくとも２つの代替的な商品から購入対象の商品を決定するよう構成される。
【００４４】
本発明の実施例では、情報送信モジュールは、第２のユーザが少なくとも２つの代替的な商品から選択を実行するように、ネットワークを介し１人の第２のユーザのユーザ装置に少なくとも２つの代替的な商品に関する情報を送信するよう構成され、購入対象商品決定モジュールは、少なくとも２つの代替的な商品から選択情報に対応する商品を選択するよう構成される。
【００４５】
本発明の実施例では、情報送信モジュールは、少なくとも２人の第２のユーザが少なくとも２つの代替的な商品から選択を実行するように、ネットワークを介し少なくとも２人の第２のユーザのユーザ装置に少なくとも２つの代替的な商品に関する情報を送信するよう構成され、購入対象商品決定モジュールは、選択情報に従って、少なくとも２つの代替的な商品から最も頻繁に選択される代替的な商品を取得し、最も頻繁に選択される代替的な商品を購入対象の商品として決定するよう構成される。
【００４６】
本発明の実施例では、当該装置は更に、商品アドレス取得モジュール２０９を有する。商品アドレス取得モジュールは、購入対象の商品の配送アドレスとして第１のユーザが第３のユーザのアドレスを設定する入力を取得するよう構成され、ここで、第３のユーザは第１のユーザと異なる。
【００４７】
本発明の実施例では、第２のユーザは第３のユーザと同じであるか、又は、第２のユーザは第３のユーザと異なる。第２のユーザが第３のユーザと異なる場合、情報送信モジュールは更に、第３のユーザに少なくとも２つの代替的な商品に対する第２のユーザの取得された選択情報を送信するよう構成される。
【００４８】
本発明の実施例では、当該装置は更に、商品推奨モジュール２０１１を有する。代替商品情報取得モジュールは更に、第１のユーザにより選択された少なくとも２つの代替的な商品を取得する前に、第１のユーザにより入力された第３のユーザに関する情報を取得するよう構成される。商品推奨モジュールは、第１のユーザが代替的な商品を選択することを支援するため、第３のユーザに関する情報に従って推奨された商品を提示するよう構成される。
【００４９】
本発明の実施例では、当該装置は更に、商品アドレス取得モジュールを有し、ここで、配送アドレス取得モジュールは、購入対象の商品の配送アドレスとして第１のユーザが第１のユーザのアドレスを設定する入力を取得するよう構成される。
【００５０】
本発明の実施例では、当該装置は、第１のユーザにより使用される装置である。
【００５１】
本発明の実施例では、当該装置はサーバであり、ここで、サーバに含まれる商品情報取得モジュールは、第１のユーザにより使用される装置により送信された情報を受信するよう構成され、第１のユーザにより使用される装置により送信された情報は、第１のユーザにより選択された少なくとも２つの代替的な商品に関する情報である。
【００５２】
本発明の実施例は、電子ショッピングコンピュータシステムを提供する。図３に示されるように、図３は、本発明の実施例によるコンピュータシステムの構成図を提供する。コンピュータシステムは、バス３０１、プロセッサ３０２、メモリ３０３及び入出力デバイス３０４を有する。プロセッサ３０２、メモリ３０３及び入出力デバイス３０４は、バス３０１を利用することによって接続される。メモリは、データ及びコードを記憶するよう構成される。プロセッサは、メモリに接続され、メモリにおけるデータ及びコードを呼び出し、以下の方法、第１のユーザにより選択された少なくとも２つの代替的な商品に関する情報を取得し、第２のユーザが少なくとも２つの代替的な商品から選択を実行するように、ネットワークを介し第２のユーザにより使用されるユーザ装置に少なくとも２つの代替的な商品に関する情報を送信し、ここで、第２のユーザは第１のユーザと異なり、第１のユーザにより指定され、少なくとも２つの代替的な商品に対する第２のユーザの選択情報を取得し、選択情報に従って少なくとも２つの代替的な商品から購入対象の商品を決定する、ことを実現する。
【００５３】
本発明の実施例では、入出力デバイス７０４は、キーボード、タッチ画面及びマウスなどのテキスト入力デバイス、カメラ、触覚機能モジュールなどを有する。メモリはプロセッサに接続され、第１のユーザにより選択された少なくとも２つの代替的な商品に関する情報を取得するよう入出力デバイスを制御するよう構成される。
【００５４】
当業者は、添付した図面が例示的な実施例の単なる概略図であり、添付した図面におけるモジュール又は処理が本発明を実現するため必ずしも必要でないことを理解してもよい。
【００５５】
当業者は、実施例において提供される装置におけるモジュールが実施例の説明に従って分散方式で装置に配置されてもよいし、又は実施例において説明されたものと異なる１つ以上の装置に配置されてもよいことを理解してもよい。上記の実施例におけるモジュールは、１つのモジュールに合成されてもよいし、又は複数のサブモジュールに分割されてもよい。
【００５６】
当業者は、実施例における方法のステップの全て又は一部が関連するハードウェアに命令するプログラムにより実現されてもよいことを理解してもよい。プログラムは、ＲＯＭ／ＲＡＭ、磁気ディスク又は光ディスクなどのコンピュータ可読記憶媒体に記憶されてもよい。
【００５７】
最後に、上記の実施例は本発明の技術的解決策を説明することを単に意図しており、本発明を限定することを意図していないことが留意されるべきである。本発明は上記の実施例を参照して詳細に説明されたが、当業者は、本発明の実施例の技術的解決策の精神及び範囲から逸脱することなく、彼らが上記の実施例に説明された技術的解決策に対して変更をしてもよいか、又はそれらのいくつかの技術的特徴に対して等価な置換をしてもよいことを理解すべきである。
【図１】
2016527616.tif 000003
【図２】
2016527616.tif 000004
【図３】
2016527616.tif 000005
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
電子ショッピング方法であって、当該方法は、
第１のユーザにより選択された少なくとも２つの代替的な商品に関する情報を取得するステップと、
第２のユーザが前記少なくとも２つの代替的な商品から選択を実行するように、ネットワークを介し前記第２のユーザにより使用されるユーザ装置に前記少なくとも２つの代替的な商品に関する情報を送信するステップであって、前記第２のユーザは前記第１のユーザと異なり、前記第２のユーザは前記第１のユーザにより指定される、送信するステップと、
前記少なくとも２つの代替的な商品に対する前記第２のユーザの選択情報を取得するステップと、
前記選択情報に従って前記少なくとも２つの代替的な商品から購入対象の商品を決定するステップと、
を有する方法。
【請求項２】
前記ネットワークを介し前記第２のユーザにより使用されるユーザ装置に前記少なくとも２つの代替的な商品に関する情報を送信するステップは、前記ネットワークを介し１人の第２のユーザのユーザ装置に前記少なくとも２つの代替的な商品に関する情報を送信するステップを有し、
前記選択情報に従って前記少なくとも２つの代替的な商品から購入対象の商品を決定するステップは、前記少なくとも２つの代替的な商品から前記選択情報に対応する商品を選択するステップを有する、請求項１記載の方法。
【請求項３】
前記ネットワークを介し前記第２のユーザにより使用されるユーザ装置に前記少なくとも２つの代替的な商品に関する情報を送信するステップが、前記ネットワークを介し少なくとも２人の第２のユーザのユーザ装置に前記少なくとも２つの代替的な商品に関する情報を送信するステップを有し、
前記選択情報に従って前記少なくとも２つの代替的な商品から購入対象の商品を決定するステップは、前記選択情報に従って、前記少なくとも２つの代替的な商品から最も頻繁に選択される代替的な商品を取得し、前記最も頻繁に選択される代替的な商品を前記購入対象の商品として決定するステップを有する、請求項１記載の方法。
【請求項４】
当該方法は更に、
前記購入対象の商品の配送アドレスとして前記第１のユーザが第３のユーザのアドレスを設定する入力を取得するステップを有し、前記第３のユーザは前記第１のユーザと異なる、請求項１乃至３何れか一項記載の方法。
【請求項５】
前記第２のユーザは前記第３のユーザと同じであるか、又は、前記第２のユーザは前記第３のユーザと異なり、
前記第２のユーザが前記第３のユーザと異なる場合、前記選択情報に従って前記少なくとも２つの代替的な商品から購入対象の商品を決定するステップの後に、当該方法は更に、前記第３のユーザにより使用されるユーザ装置に前記少なくとも２つの代替的な商品に対する前記第２のユーザの取得された選択情報を送信するステップを有する、請求項４記載の方法。
【請求項６】
前記第１のユーザにより選択された少なくとも２つの代替的な商品に関する情報を取得するステップの前に、当該方法は更に、
前記第１のユーザにより入力された前記第３のユーザに関する情報を取得するステップと、
前記第１のユーザが前記代替的な商品を選択することを支援するため、前記第３のユーザに関する情報に従って推奨された商品を提示するステップと、
を有する、請求項４又は５記載の方法。
【請求項７】
当該方法は更に、前記購入対象の商品の配送アドレスとして前記第１のユーザが前記第１のユーザのアドレスを設定する入力を取得するステップを有する、請求項１乃至３何れか一項記載の方法。
【請求項８】
前記第１のユーザにより選択された少なくとも２つの代替的な商品に関する情報を取得するステップは、前記第１のユーザにより使用されるユーザ装置が、前記第１のユーザにより選択された前記少なくとも２つの代替的な商品に関する情報を取得するステップを有する、請求項１乃至６何れか一項記載の方法。
【請求項９】
前記第１のユーザにより選択された少なくとも２つの代替的な商品に関する情報を取得するステップは、サーバが、前記第１のユーザにより選択された前記少なくとも２つの代替的な商品に関するものであって、前記第１のユーザにより使用されるユーザ装置により送信された前記情報を受信するステップを有する、請求項１乃至６何れか一項記載の方法。
【請求項１０】
電子ショッピング装置であって、当該装置は、代替商品情報取得モジュール、情報送信モジュール、商品選択情報取得モジュール及び購入対象商品決定モジュールを有し、
前記代替商品情報取得モジュールは、第１のユーザにより選択された少なくとも２つの代替的な商品に関する情報を取得するよう構成され、
前記情報送信モジュールは、第２のユーザが前記少なくとも２つの代替的な商品から選択を実行するように、ネットワークを介し前記第２のユーザにより使用されるユーザ装置に前記少なくとも２つの代替的な商品に関する情報を送信するよう構成され、前記第２のユーザは前記第１のユーザと異なり、前記第１のユーザにより指定され、
前記商品選択情報取得モジュールは、前記少なくとも２つの代替的な商品に対する前記第２のユーザの選択情報を取得するよう構成され、
前記購入対象商品決定モジュールは、前記選択情報に従って前記少なくとも２つの代替的な商品から購入対象の商品を決定するよう構成される装置。
【請求項１１】
前記情報送信モジュールは、前記第２のユーザが前記少なくとも２つの代替的な商品から選択を実行するように、前記ネットワークを介し１人の第２のユーザのユーザ装置に前記少なくとも２つの代替的な商品に関する情報を送信するよう構成され、
前記購入対象商品決定モジュールは、前記少なくとも２つの代替的な商品から前記選択情報に対応する商品を選択するよう構成される、請求項１０記載の装置。
【請求項１２】
前記情報送信モジュールは、少なくとも２人の第２のユーザが前記少なくとも２つの代替的な商品から選択を実行するように、前記ネットワークを介し前記少なくとも２人の第２のユーザのユーザ装置に前記少なくとも２つの代替的な商品に関する情報を送信するよう構成され、
前記購入対象商品決定モジュールは、前記選択情報に従って、前記少なくとも２つの代替的な商品から最も頻繁に選択される代替的な商品を取得し、前記最も頻繁に選択される代替的な商品を前記購入対象の商品として決定するよう構成される、請求項１０記載の装置。
【請求項１３】
当該装置は更に、商品アドレス取得モジュールを有し、
前記商品アドレス取得モジュールは、前記購入対象の商品の配送アドレスとして前記第１のユーザが第３のユーザのアドレスを設定する入力を取得するよう構成され、前記第３のユーザは前記第１のユーザと異なる、請求項１０乃至１２何れか一項記載の装置。
【請求項１４】
前記第２のユーザは前記第３のユーザと同じであるか、又は、前記第２のユーザは前記第３のユーザと異なり、
前記第２のユーザが前記第３のユーザと異なる場合、前記情報送信モジュールは更に、前記第３のユーザに前記少なくとも２つの代替的な商品に対する前記第２のユーザの取得された選択情報を送信するよう構成される、請求項１３記載の装置。
【請求項１５】
当該装置は更に、商品推奨モジュールを有し、
前記代替商品情報取得モジュールは更に、前記第１のユーザにより選択された少なくとも２つの代替的な商品を取得する前に、前記第１のユーザにより入力された前記第３のユーザに関する情報を取得するよう構成され、
前記商品推奨モジュールは、前記第１のユーザが前記代替的な商品を選択することを支援するため、前記第３のユーザに関する情報に従って推奨された商品を提示するよう構成される、請求項１３又は１４記載の装置。
【請求項１６】
当該装置は更に、商品アドレス取得モジュールを有し、
前記商品アドレス取得モジュールは、前記購入対象の商品の配送アドレスとして前記第１のユーザが前記第１のユーザのアドレスを設定する入力を取得するよう構成される、請求項１０乃至１２何れか一項記載の装置。
【請求項１７】
当該装置は、前記第１のユーザにより使用される装置である、請求項１０乃至１５何れか一項記載の装置。
【請求項１８】
当該装置はサーバであり、
前記サーバに含まれる商品情報取得モジュールは、前記第１のユーザにより使用される装置により送信された情報を受信するよう構成され、前記第１のユーザにより使用される装置により送信された情報は、前記第１のユーザにより選択された前記少なくとも２つの代替的な商品に関する情報である、請求項１０乃至１５何れか一項記載の装置。
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
電子ショッピング方法であって、当該方法は、
第１のユーザにより選択された少なくとも２つの代替的な商品に関する情報を取得するステップと、
第２のユーザが前記少なくとも２つの代替的な商品から選択を実行するように、ネットワークを介し前記第２のユーザにより使用されるユーザ装置に前記少なくとも２つの代替的な商品に関する情報を送信するステップであって、前記第２のユーザは前記第１のユーザと異なり、前記第２のユーザは前記第１のユーザにより指定される、送信するステップと、
前記少なくとも２つの代替的な商品に対する前記第２のユーザの選択情報を取得するステップと、
前記選択情報に従って前記少なくとも２つの代替的な商品から購入対象の商品を決定するステップと、
を有する方法。
【請求項２】
前記ネットワークを介し前記第２のユーザにより使用されるユーザ装置に前記少なくとも２つの代替的な商品に関する情報を送信するステップは、前記ネットワークを介し１人の第２のユーザのユーザ装置に前記少なくとも２つの代替的な商品に関する情報を送信するステップを有し、
前記選択情報に従って前記少なくとも２つの代替的な商品から購入対象の商品を決定するステップは、前記少なくとも２つの代替的な商品から前記選択情報に対応する商品を選択するステップを有する、請求項１記載の方法。
【請求項３】
前記ネットワークを介し前記第２のユーザにより使用されるユーザ装置に前記少なくとも２つの代替的な商品に関する情報を送信するステップが、前記ネットワークを介し少なくとも２人の第２のユーザのユーザ装置に前記少なくとも２つの代替的な商品に関する情報を送信するステップを有し、
前記選択情報に従って前記少なくとも２つの代替的な商品から購入対象の商品を決定するステップは、前記選択情報に従って、前記少なくとも２つの代替的な商品から最も頻繁に選択される代替的な商品を取得し、前記最も頻繁に選択される代替的な商品を前記購入対象の商品として決定するステップを有する、請求項１記載の方法。
【請求項４】
当該方法は更に、
前記購入対象の商品の配送アドレスとして前記第１のユーザが第３のユーザのアドレスを設定する入力を取得するステップを有し、前記第３のユーザは前記第１のユーザと異なる、請求項１乃至３何れか一項記載の方法。
【請求項５】
前記第２のユーザは前記第３のユーザと同じであるか、又は、前記第２のユーザは前記第３のユーザと異なり、
前記第２のユーザが前記第３のユーザと異なる場合、前記選択情報に従って前記少なくとも２つの代替的な商品から購入対象の商品を決定するステップの後に、当該方法は更に、前記第３のユーザにより使用されるユーザ装置に前記少なくとも２つの代替的な商品に対する前記第２のユーザの取得された選択情報を送信するステップを有する、請求項４記載の方法。
【請求項６】
前記第１のユーザにより選択された少なくとも２つの代替的な商品に関する情報を取得するステップの前に、当該方法は更に、
前記第１のユーザにより入力された前記第３のユーザに関する情報を取得するステップと、
前記第１のユーザが前記代替的な商品を選択することを支援するため、前記第３のユーザに関する情報に従って推奨された商品を提示するステップと、
を有する、請求項４又は５記載の方法。
【請求項７】
当該方法は更に、前記購入対象の商品の配送アドレスとして前記第１のユーザが前記第１のユーザのアドレスを設定する入力を取得するステップを有する、請求項１乃至３何れか一項記載の方法。
【請求項８】
前記第１のユーザにより選択された少なくとも２つの代替的な商品に関する情報を取得するステップは、前記第１のユーザにより使用されるユーザ装置が、前記第１のユーザにより選択された前記少なくとも２つの代替的な商品に関する情報を取得するステップを有する、請求項１乃至６何れか一項記載の方法。
【請求項９】
前記第１のユーザにより選択された少なくとも２つの代替的な商品に関する情報を取得するステップは、サーバが、前記第１のユーザにより選択された前記少なくとも２つの代替的な商品に関するものであって、前記第１のユーザにより使用されるユーザ装置により送信された前記情報を受信するステップを有する、請求項１乃至６何れか一項記載の方法。
【請求項１０】
電子ショッピング装置であって、当該装置は、代替商品情報取得モジュール、情報送信モジュール、商品選択情報取得モジュール及び購入対象商品決定モジュールを有し、
前記代替商品情報取得モジュールは、第１のユーザにより選択された少なくとも２つの代替的な商品に関する情報を取得するよう構成され、
前記情報送信モジュールは、第２のユーザが前記少なくとも２つの代替的な商品から選択を実行するように、ネットワークを介し前記第２のユーザにより使用されるユーザ装置に前記少なくとも２つの代替的な商品に関する情報を送信するよう構成され、前記第２のユーザは前記第１のユーザと異なり、前記第１のユーザにより指定され、
前記商品選択情報取得モジュールは、前記少なくとも２つの代替的な商品に対する前記第２のユーザの選択情報を取得するよう構成され、
前記購入対象商品決定モジュールは、前記選択情報に従って前記少なくとも２つの代替的な商品から購入対象の商品を決定するよう構成される装置。
【請求項１１】
前記情報送信モジュールは、前記第２のユーザが前記少なくとも２つの代替的な商品から選択を実行するように、前記ネットワークを介し１人の第２のユーザのユーザ装置に前記少なくとも２つの代替的な商品に関する情報を送信するよう構成され、
前記購入対象商品決定モジュールは、前記少なくとも２つの代替的な商品から前記選択情報に対応する商品を選択するよう構成される、請求項１０記載の装置。
【請求項１２】
前記情報送信モジュールは、少なくとも２人の第２のユーザが前記少なくとも２つの代替的な商品から選択を実行するように、前記ネットワークを介し前記少なくとも２人の第２のユーザのユーザ装置に前記少なくとも２つの代替的な商品に関する情報を送信するよう構成され、
前記購入対象商品決定モジュールは、前記選択情報に従って、前記少なくとも２つの代替的な商品から最も頻繁に選択される代替的な商品を取得し、前記最も頻繁に選択される代替的な商品を前記購入対象の商品として決定するよう構成される、請求項１０記載の装置。
【請求項１３】
当該装置は更に、商品アドレス取得モジュールを有し、
前記商品アドレス取得モジュールは、前記購入対象の商品の配送アドレスとして前記第１のユーザが第３のユーザのアドレスを設定する入力を取得するよう構成され、前記第３のユーザは前記第１のユーザと異なる、請求項１０乃至１２何れか一項記載の装置。
【請求項１４】
前記第２のユーザは前記第３のユーザと同じであるか、又は、前記第２のユーザは前記第３のユーザと異なり、
前記第２のユーザが前記第３のユーザと異なる場合、前記情報送信モジュールは更に、前記第３のユーザに前記少なくとも２つの代替的な商品に対する前記第２のユーザの取得された選択情報を送信するよう構成される、請求項１３記載の装置。
【請求項１５】
当該装置は更に、商品推奨モジュールを有し、
前記代替商品情報取得モジュールは更に、前記第１のユーザにより選択された少なくとも２つの代替的な商品に関する情報を取得する前に、前記第１のユーザにより入力された前記第３のユーザに関する情報を取得するよう構成され、
前記商品推奨モジュールは、前記第１のユーザが前記代替的な商品を選択することを支援するため、前記第３のユーザに関する情報に従って推奨された商品を提示するよう構成される、請求項１３又は１４記載の装置。
【国際調査報告】
2016527616.tif 000006
2016527616.tif 000007
2016527616.tif 000008
2016527616.tif 000009